(57)【特許請求の範囲】
【請求項１】
利用者を下方から支持する座と、側方視において当該座との間に空間が形成されるように設けられる肘掛とを備える椅子であって、
前記肘掛の一部の領域が利用者により把持される棒状の把持領域とされ、
側方視において前記把持領域を避けて前記肘掛と接続されると共に前記座と前記肘掛との間の空間の一部を閉塞する閉塞部を備え、
前記座の後方にて立設される背凭れを備え、前記閉塞部の背凭れ側の面が前記背凭れに沿った形状とされている
ことを特徴とする椅子。
【請求項２】
前記肘掛は、前記椅子の前後方向に延設されると共に前部が前記把持領域とされた前後延設部と、当該前後延設部の前部から下方に延設される上下延設部とを備えることを特徴とする請求項１記載の椅子。
【請求項３】
前記前後延設部と前記上下延設部との交差角度が直角以下とされていることを特徴とする請求項２記載の椅子。
【請求項４】
前記把持領域の延在方向と直交する断面形状において、前記把持領域は、前記閉塞部に向けて窄む形状を有することを特徴とする請求項１〜３いずれかに記載の椅子。
【発明の詳細な説明】
【技術分野】
【０００１】
本発明は、椅子に関するものである。
【背景技術】
【０００２】
例えば、特許文献１や特許文献２に示すように、従来から、肘掛を有する椅子が用いられている。このような肘掛は、一般的には利用者の着座時の快適性を向上させるものであるが、特に病院や介護施設等では、着座時や起立時において利用者の体重を支持する役目を果たしている。
【先行技術文献】
【特許文献】
【０００３】
【特許文献１】実公平１−３２９１５号公報
【特許文献２】特開平１０−１７９３２８号公報
【発明の概要】
【発明が解決しようとする課題】
【０００４】
ところで、荷物等が着座スペースの範囲を超えることを防止するために、肘掛と座との間の空間は閉塞されていることが望ましい。特に病院や介護施設等においては、手指や下肢の筋力が低下している利用者が多いことから、着座中に自らの荷物等が落下させてしまうことも多く、荷物の紛失等を防ぐためにも肘掛と座との間の空間は閉塞されていることが望ましい。
【０００５】
しかしながら、肘掛と座との間の空間を閉塞部によって閉塞してしまうと、当該閉塞部が肘掛と接続されることになり、閉塞部が邪魔することによって肘掛を包むように把持することができなくなる。このような場合には、肘掛が把持し難くなり、手指や下肢の筋力が低下している利用者が安心して肘掛に体重を預けることができなくなる。
【０００６】
本発明は、上述する問題点に鑑みてなされたもので、肘掛を有する椅子において、荷物等が自らの着座スペースから落下等することを抑止すると共に肘掛に対して安心して体重を預けることが可能とすることを目的とする。
【課題を解決するための手段】
【０００７】
本発明は、上記課題を解決するための手段として、以下の構成を採用する。
【０００８】
第１の発明は、利用者を下方から支持する座と、側方視において当該座との間に空間が形成されるように設けられる肘掛とを備える椅子であって、上記肘掛の一部の領域が利用者により把持される棒状の把持領域とされ、側方視において上記把持領域を避けて上記肘掛と接続されると共に上記座と上記肘掛との間の空間の一部を閉塞する閉塞部を備えるという構成を採用する。
【０００９】
本発明によれば、座と肘掛との間の空間を閉塞する閉塞部を備えている。このため、閉塞部によって着座スペースから座と肘掛との間の空間を通じて荷物等が落下することを防止することができる。また、本発明によれば、閉塞部が、肘掛の把持領域を避けるようにして上記空間の一部のみを閉塞している。このため、利用者が肘掛の把持領域を把持するときに閉塞部が邪魔をすることがなく、利用者が包むように把持することができる。したがって、本発明によれば、肘掛を有する椅子において、荷物等が自らの着座スペースから落下等することを抑止すると共に肘掛に対して安心して体重を預けることが可能となる。
【００１０】
第２の発明は、上記第１の発明において、上記肘掛が、上記椅子の前後方向に延設されると共に前部が上記把持領域とされた前後延設部と、当該前後延設部の前部から下方に延設される上下延設部とを備えるという構成を採用する。
【００１１】
このような本発明によれば、肘掛が、椅子の前後方向に延設された前後延設部と、当該前後延設部の前部から下方に延設される上下延設部とを有する形状とされている。このような肘掛は、前後延設部の前部が肘掛において前側に張り出す形状となる。そして、本発明においては、肘掛において前側に張り出した部位である前後延設部の前部に把持領域が設けられているため、利用者が、着座した状態から起立するとき、あるいは、起立した状態から着座するときに、肘掛の把持しやすい位置に把持領域が設けられている。したがって、肘掛に対してより安心して体重を預けることが可能となる。
【００１２】
第３の発明は、上記第２の発明において、上記前後延設部と上記上下延設部との交差角度が直角以下とされているという構成を採用する。
【００１３】
本発明によれば、前後延設部と上下延設部との交差角度が直角以下とされているため、肘掛の形状が、把持領域が形成された前後延設部の前部がより前方に張り出した形状となる。したがって、肘掛に対してより安心して体重を預けることが可能となる。
【００１４】
第４の発明は、上記第１〜第３いずれかの発明において、上記把持領域の延在方向と直交する断面形状にて、上記把持領域が、上記閉塞部に向けて窄む形状を有するという構成を採用する。
【００１５】
本発明によれば、把持領域が閉塞部に向けて窄む形状となっていることから、把持領域の断面が矩形である場合と比較して、把持領域をより掴みやすい形状とすることができる。したがって、本発明によれば、肘掛の把持領域がより把持しやすくなり、肘掛に対してより安心して体重を預けることが可能となる。
【００１６】
第５の発明は、上記第１〜第４いずれかの発明において、上記座の後方にて立設される背凭れを備え、上記閉塞部の背凭れ側の面が上記背凭れに沿った形状とされているという構成を採用する。
【００１７】
本発明によれば、閉塞部の背凭れ側の面が背凭れに沿った形状となっていることから、閉塞部と背凭れとの位置合わせが容易となり、閉塞部の背凭れに対する位置を安定させることが可能となる。
【発明の効果】
【００１８】
本発明によれば、肘掛の一部の領域が利用者により把持される棒状の把持領域とされ、側方視において把持領域を避けて肘掛と接続されると共に座と肘掛との間の空間の一部を閉塞する閉塞部を備えるため、肘掛を有する椅子において、荷物等が自らの着座スペースから落下等することを抑止すると共に肘掛に対して安心して体重を預けることが可能となる。
【図面の簡単な説明】
【００１９】
【図１】本発明の第１実施形態における椅子の側面図である。
【図２】本発明の第１実施形態における椅子の一部を分解した斜視図である。
【図３】本発明の第１実施形態における椅子の側断面図である。
【図４】本発明の第１実施形態における椅子が備える肘掛の前後延設部の断面図である。
【図５】本発明の第１実施形態における椅子が備える肘掛の上下延設部の断面図である。
【図６】本発明の第２実施形態における椅子の側面図である。
【図７】本発明の第２実施形態における椅子の一部を分解した斜視図である。
【図８】本発明の第２実施形態における椅子が備える肘掛の前後延設部の断面図である。
【図９】本発明の変形例における椅子が備える肘掛の前後延設部の断面図である。
【図１０】本発明の変形例における椅子が備える肘掛の上下延設部の断面図である。
【発明を実施するための形態】
【００２０】
以下、図面を参照して、本発明に係る椅子の一実施形態について説明する。なお、以下の図面において、各部材を認識可能な大きさとするために、各部材の縮尺を適宜変更している。なお、以下の説明における前後上下左右の方向は、着座者から見た方向を示している。
【００２１】
（第１実施形態）
図１は、本第１実施形態に係る椅子１の側面図である。また、図２は、本第１実施形態に係る椅子１の一部を分解した斜視図である。また、図３は、本第１実施形態に係る椅子１の側断面図である。これらの図に示すように、本実施形態の椅子１は、脚部２と、座３と、背凭れ４と、背側閉塞部取付駒５と、座側閉塞部取付駒６と、肘掛７（補助部材）と、閉塞部８とを備えている。
【００２２】
脚部２は、座３、背凭れ４、背側閉塞部取付駒５、座側閉塞部取付駒６、肘掛７及び閉塞部８を直接あるいは間接的に支持すると共に着座者の体重を支える強度部材である。この脚部２は、図３に示すように、前脚２ａと後脚２ｂとが前後方向に延在する連結部２ｃを介して一体的に連結された門型の脚である。なお、連結部２ｃには、脚部２と座３とを固定するためのボルト１０が挿通されるボルト孔２ｃ１が上下に貫通して設けられている。このような脚部２は、椅子１の左右方向の両端部に各々配置されており、本実施形態においては２つ設けられている。
【００２３】
座３は、着座者を下方から支持する部分であり、座フレーム３ａと、側面プレート３ｂと、クッション３ｃと、カバー３ｄとを備えている。座フレーム３ａは、脚部２に対して固定されるプレート状の強度部材であり、着座者の体重を下方から支持する。なお、本実施形態の椅子１は、左右方向に３人が着座できる長椅子となっている。このため、座フレーム３ａは、３人が着座できる左右方向の長さを有している。
【００２４】
また、座フレーム３ａに対しては、上方から見て脚部２のボルト孔２ｃ１と重なる位置にナット１１が埋設されている。このような座フレーム３ａは、下方から脚部２のボルト孔２ｃ１に挿通されたボルト１０の先端がナット１１に螺合されることによって、脚部２に対して締結される。また、図３に示すように、座フレーム３ａに対しては、座フレーム３ａと座側閉塞部取付駒６とを固定するためのボルト１２が挿通されるボルト孔３ａ１が上下に貫通して設けられている。
【００２５】
側面プレート３ｂは、カバー３ｄの内部にて、座フレーム３ａの側部に対して固定されている。この側面プレート３ｂは、椅子１の左右方向の両端に配置されている。クッション３ｃは、座フレーム３ａに対して固定されており、カバー３ｄは、当該クッション３ｃを包んでいる。なお、カバー３ｄは、後述する背凭れ４のカバー４ｃと一体化されている。
【００２６】
背凭れ４は、座３の後方の端部に立設されており、着座者を後方から支持する部位である。この背凭れ４は、図２に示すように、背フレーム４ａと、クッション４ｂと、カバー４ｃとを備えている。背フレーム４ａは、座フレーム３ａの後側の縁部に対して立設されるように固定される強度部材であり、着座者の体重を後方から支持する。この背フレーム４ａも、座フレーム３ａと同様に、３人が着座できる左右方向の長さを有している。
【００２７】
また、背フレーム４ａには、図３に示すように、背側閉塞部取付駒５を嵌合するための嵌合穴４ａ１が設けられている。この嵌合穴４ａ１に対して背側閉塞部取付駒５が嵌合されることによって、背側閉塞部取付駒５が背フレーム４ａに対して位置決めされる。クッション４ｂは、背フレーム４ａに対して固定されており、カバー４ｃは、当該クッション４ｂを包んでいる。なお、上述のようにカバー４ｃは、座３のカバー３ｄと一体化されている。このようにして一体化されたカバーは、不図示の固定部材によって座フレーム３ａや背フレーム４ａに固定されている。
【００２８】
背側閉塞部取付駒５は、図２に示すように、閉塞部８の後面に当接することによって閉塞部８を後方から支持するブロック状の部材であり、背フレーム４ａに設けられた嵌合穴４ａ１に嵌合される嵌合突起５ａを有している（図３参照）。この背側閉塞部取付駒５は、閉塞部８を上下方向の全域において支持するように閉塞部８と略同一の高さとされており、嵌合突起５ａを上記嵌合穴４ａ１に嵌合することによって背フレーム４ａに対して位置決めされる。
【００２９】
座側閉塞部取付駒６は、閉塞部８を下方から支持するブロック状の部材である。この座側閉塞部取付駒６には、上下に貫通する２つのボルト孔６ａが設けられている。これらのボルト孔６ａは、上方から見て、座フレーム３ａに設けられたボルト孔３ａ１と重なる位置に設けられており、ボルト１２が挿通される。このような座側閉塞部取付駒６は、座フレーム３ａ上に配置された状態でボルト孔６ａにボルト１２が挿通されることによって座フレーム３ａに対して位置決めされる。
【００３０】
なお、本実施形態の椅子１は、図２に示すように、左右方向に４つの肘掛７及び閉塞部８が設けられている。背側閉塞部取付駒５及び座側閉塞部取付駒６は、閉塞部８ごとに設けられており、各々が４つ設けられている。
【００３１】
肘掛７は、着座者の手を支持する棒状の部材であると共に、本実施形態においては、着座及び起立のときに、利用者が把持することによって利用者の体重を支持する部位である。この肘掛７は、図２に示すように、椅子１の前後方向に延設される前後延設部７ａと、当該前後延設部から下方に延設される上下延設部７ｂとを有している。
【００３２】
前後延設部７ａは、後側の端部が背側閉塞部取付駒５の前面と当接されており、当該端部から椅子１の前方に向けて略直線状に延在する部位である。この前後延設部７ａは、前部が利用者によって把持される把持領域７ａ１とされており、後部が閉塞部８の固定される閉塞部固定領域７ａ２とされている。
【００３３】
図４は、把持領域７ａ１の延在方向に直交する断面図である。この図に示すように、把持領域７ａ１は、延在方向と直交する断面形状において、把持するときの利用者の手の進行方向手前側から見て、手前側の表面の両側が奥側に向けて広がりかつ外側に向けて膨らむように湾曲された手前側湾曲面２０とされ、奥側の表面の両側が奥側に向けて窄みかつ平面からなる指腹当接面２１とされている。なお、利用者は、着座あるいは起立のときに前後延設部７ａの把持領域７ａ１を上方から把持する。つまり、把持領域７ａ１においては、把持するときの利用者の手の進行方向手前は椅子１の上側となる。したがって、把持領域７ａ１において手前側湾曲面２０は、上側の表面の両側が下側に向けて広がりかつ左右に向けて膨らむように湾曲されることで形成された面である。また、把持領域７ａ１において指腹当接面２１は、下側の表面の両側が下側（閉塞部８側）に向けて窄みかつ平面とされることで形成された面である。
【００３４】
また、把持領域７ａ１は、延在方向と直交する断面形状において、手前側湾曲面２０同士を接続する手前側接続面２２と、指腹当接面２１同士を接続する奥側接続面２３とを有している。このように、把持領域７ａ１は、当該断面形状において、周面が、手前側湾曲面２０、指腹当接面２１、手前側接続面２２及び奥側接続面２３によって形成されている。
【００３５】
なお、手前側湾曲面２０と指腹当接面２１とは、手前側湾曲面２０の接線２０ａと指腹当接面２１とが成す角度αが鈍角となるように、手前側湾曲面２０と指腹当接面２１とが接続されている。また、手前側接続面２２及び奥側接続面２３については、必ずしも平面である必要はない。例えば、手前側接続面２２については、手前側湾曲面２０と滑らかに接続する湾曲面とされても良い。ただし、手前側接続面２２は、利用者が体重を預けるときに強く当たる面であることから、利用者の体重を安定して支えられるように水平面であることが望ましい。
【００３６】
上下延設部７ｂは、下側の端部が座側閉塞部取付駒６の上面と当接されており、当該端部から椅子１の上方に向けて略直線状に延在する部位である。この上下延設部７ｂは、上部が利用者によって把持される把持領域７ｂ１とされており、下部が閉塞部８の固定される閉塞部固定領域７ｂ２とされている。
【００３７】
図５は、把持領域７ｂ１の延在方向に直交する断面図である。この図に示すように、把持領域７ｂ１は、延在方向と直交する断面形状において、把持するときの利用者の手の進行方向手前側から見て、手前側の表面の両側が奥側に向けて広がりかつ外側に向けて膨らむように湾曲された手前側湾曲面２０とされ、奥側の表面の両側が奥側に向けて窄みかつ平面からなる指腹当接面２１とされている。なお、利用者は、着座あるいは起立のときに上下延設部７ｂの把持領域７ｂ１を前方から把持する。つまり、把持領域７ｂ１においては、把持するときの利用者の手の進行方向手前は椅子１の前側となる。したがって、把持領域７ｂ１において手前側湾曲面２０は、前側の表面の両側が後側に向けて広がりかつ左右に向けて膨らむように湾曲されることで形成された面である。また、把持領域７ｂ１において指腹当接面２１は、後側の表面の両側が後ろ側に向けて窄みかつ平面とされることで形成された面である。
【００３８】
また、把持領域７ｂ１は、延在方向と直交する断面形状において、前後延設部７ａの把持領域７ａ１と同様に、手前側湾曲面２０同士を接続する手前側接続面２２と、指腹当接面２１同士を接続する奥側接続面２３とを有している。このような把持領域７ｂ１を上部に有する上下延設部７ｂが、把持領域７ａ１を前部に有する前後延設部７ａの当該前部に連設されることによって、前後延設部７ａと上下延設部７ｂとは連続的に接続されている。
【００３９】
また、図３に示すように、前後延設部７ａの閉塞部固定領域７ａ２及び上下延設部７ｂの閉塞部固定領域７ｂ２には、ナット１３が埋設されている。当該ナット１３に対して、後述する閉塞部８を挿通するボルト１４の先端が螺合されることによって、肘掛７が閉塞部８に固定されると共に支持される。なお、このような把持領域７ａ１あるいは把持領域７ｂ１を利用者が把持するときには、利用者の手のひらが手前側接続面２２に当たり、指腹が指腹当接面２１に当接することになる。
【００４０】
また、上下延設部７ｂは、図３に示すように、下端よりも上端が前側に位置するように傾斜されている。これによって、前後延設部７ａを延長した線分と、上下延設部７ｂを延長した線分とが交差する角度βが鋭角（すなわち直角以下）とされている。つまり、本実施形態においては、前後延設部７ａと上下延設部７ｂとは、交差角度が直角以下とされている。このため、前後延設部７ａと上下延設部７ｂとの交差角度を鈍角とした場合よりも、把持領域７ａ１及び把持領域７ｂ１が前方に配置されている。
【００４１】
図２に戻り、閉塞部８は、枠部８ａと、側面プレート８ｂと、カバー８ｃとを備えている。枠部８ａは、側方視において開口されると共に閉塞部８の外形形状に沿って形作られた枠体である。この枠部８ａの底部には、座側閉塞部取付駒６を貫通するボルト１２の先端が螺合されるナット１５が埋設されている。また、枠部８ａの上部及び前部には、肘掛７に埋設された上記ナット１３に螺合されるボルト１４が挿通されるボルト孔８ａ１が形成されている。側面プレート８ｂは、左右方向から枠部８ａの開口部を塞ぐように枠部８ａに対して貼付されている。カバー８ｃ（図２の分解部分については不図示）は、側面プレート８ｂが貼付された枠部８ａを張り包んでおり、ボルト１４が挿通する箇所には孔が設けられている。
【００４２】
また、閉塞部８は、前側上部が下方に向けて大きく窪んだ形状とされている。このような閉塞部８に対して肘掛７が固定されることによって、肘掛７と閉塞部８とによって囲まれた開口部３０が形成されている。なお、開口部３０に把持領域７ａ１及び把持領域７ｂ１が臨むように、閉塞部８は把持領域７ａ１及び把持領域７ｂ１を避け、肘掛７の閉塞部固定領域７ａ２及び閉塞部固定領域７ｂ２に接続されている。このような閉塞部８は、図１〜３に示すように、側方視において、肘掛７の把持領域７ａ１及び把持領域７ｂ１を避けて肘掛７と座３との間を閉塞するように配置されている。
【００４３】
また、この閉塞部８は、背凭れ４側の面（すなわち背側閉塞部取付駒５側の面）が背凭れ４の表面に沿った形状とされている。このため、閉塞部８を背側閉塞部取付駒５に当接させて配置することによって、閉塞部８を背凭れ４と一体的にすることができる。このような閉塞部８は、組み立てるときに閉塞部８と背凭れ４とが上述のように一体化されているか否かにより正確な位置であるかの判定ができる。このため、閉塞部８と背凭れ４との位置合わせが容易となる。
【００４４】
なお、このような肘掛７及び閉塞部８を取り付ける場合には、例えば側面プレート８ｂを枠部８ａに取り付ける前にカバー８ｃを枠部８ａに被せ、その状態でカバー８ｃの内部に作業者が手を差し入れてボルト１４にて枠部８ａと肘掛７とを締結する。その後、側面プレート８ｂを枠部８ａに取り付けると共にカバー８ｃを張り包む。このようにして形成された肘掛７と閉塞部８とが一体化されたユニットを座側閉塞部取付駒６に対してボルト１２によって固定する。これによって、肘掛７及び閉塞部８が座側閉塞部取付駒６に対して固定される。
【００４５】
このような本実施形態の椅子１に対して、例えば手指や下肢の筋力が低下している利用者が着座するときには、肘掛７の把持領域７ａ１を上方から把持、あるいは、肘掛７の把持領域７ｂ１を前方から把持し、肘掛７に対して体重を預けて着座の動作が行われる。また、着座者が起立するときにも、肘掛７の把持領域７ａ１を上方から把持、あるいは、肘掛７の把持領域７ｂ１を前方から把持し、肘掛７に対して体重を預けて起立の動作が行われる。
【００４６】
このような本実施形態の椅子１によれば、座３と肘掛７との間の空間を閉塞する閉塞部８を備えている。このため、閉塞部８によって着座スペースから座３と肘掛７との間の空間を通じて荷物等が落下することを防止することができる。また、本実施形態の椅子１によれば、閉塞部８が、肘掛７の把持領域７ａ１及び把持領域７ｂ１を避けるようにして上記空間の一部のみを閉塞している。このため、利用者が肘掛７の把持領域７ａ１あるいは把持領域７ｂ１を把持するときに閉塞部８が邪魔をすることがなく、利用者が肘掛７を包むように把持することができる。したがって、本実施形態の椅子１によれば、荷物等が自らの着座スペースから落下等することを抑止すると共に肘掛７に対して安心して体重を預けることが可能となる。
【００４７】
また、本実施形態の椅子１においては、肘掛７が、椅子１の前後方向に延設された前後延設部７ａと、当該前後延設部７ａの前部から下方に延設される上下延設部７ｂとを有する形状とされている。このような肘掛７は、前後延設部７ａの前部が肘掛７において前側に張り出す形状となる。そして、本実施形態の椅子１においては、肘掛７において前側に張り出した部位である前後延設部７ａの前部に把持領域７ａ１及び把持領域７ｂ１が設けられているため、利用者が、着座した状態から起立するとき、あるいは、起立した状態から着座するときに、肘掛７の把持しやすい位置に把持領域７ａ１及び把持領域７ｂ１が設けられている。したがって、肘掛７に対してより安心して体重を預けることが可能となる。
【００４８】
また、本実施形態の椅子１においては、前後延設部７ａと上下延設部７ｂとの交差角度が鋭角とされているため、肘掛７の形状が、把持領域７ａ１が形成された前後延設部７ａの前部がより前方に張り出した形状となる。したがって、肘掛７に対してより安心して体重を預けることが可能となる。
【００４９】
また、本実施形態の椅子１においては、肘掛７の延在方向の少なくとも一部に設けられる把持領域７ａ１及び把持領域７ｂ１を有し、これらの把持領域７ａ１及び把持領域７ｂ１の延在方向と直交する断面形状において、把持するときの利用者の手の進行方向手前側から見て、手前側の表面の両側が奥側に向けて広がりかつ外側に向けて膨らむように湾曲された手前側湾曲面２０とされ、奥側の表面の両側が奥側に向けて窄みかつ平面からなる指腹当接面２１とされている。
【００５０】
例えば、断面形状が矩形状の肘掛である場合には、利用者が把持するときに、利用者の手側に角部が存在することになる。このため、この角部が利用者の手の腹や指の付け根等に当たることになる。このような肘掛を手指や下肢の筋力が低下している利用者が把持すると、角部が邪魔することによって補助部材が把持し難いと感じることがある。これに対して、本実施形態おいて、手前側の表面の両側が奥側に向けて広がりかつ外側に向けて膨らむように湾曲された手前側湾曲面２０とされている。このため、利用者が把持したときに角部が邪魔をすることがないため肘掛７が把持しやすくなり、安心して肘掛７に体重を預けることが可能となる。
【００５１】
また、同様に断面形状が矩形状の肘掛である場合には、利用者が把持するときに、通常、利用者の指腹が奥側の角部に引っ掛る状態となる。角部と指腹とが当接する場合には、指腹のごく一部のみが肘掛と接触することになり、接触面積が小さい。このため、手指や下肢の筋力が低下している利用者が把持したときに把持し難いと感じる場合がある。これに対して、本実施形態の椅子１においては、奥側の表面の両側が奥側に向けて窄みかつ平面からなる指腹当接面２１とされている。このため、利用者の指腹と肘掛７とが面接触されることになるため肘掛７が把持しやすくなり、安心して肘掛７に体重を預けることが可能となる。さらに、奥側の表面の両側が奥側に向けて窄むことにより、肘掛７の周長が、厚さ同一かつ断面形状が矩形状の場合と比較して短くなる。このため、利用者の手が肘掛７を包みやすくなり、手指や下肢の筋力が低下している利用者であっても、安心して肘掛７に体重を預けることが可能となる。
【００５２】
このように、本実施形態の椅子１によれば、手指や下肢の筋力が低下している利用者が安心して体重を預けることが可能となるため、特に病院や介護施設等において適したものとなる。
【００５３】
また、本実施形態の椅子１においては、手前側湾曲面２０の接線２０ａと指腹当接面２１とが成す角度αが鈍角となるように、手前側湾曲面２０と指腹当接面２１とが接続されている。このため、手前側湾曲面２０と指腹当接面２１との接続箇所に形成される角部がなだらかになり、当該角部が利用者の手に当接したときの不快感を低減することが可能となる。
【００５４】
また、本実施形態の椅子１においては、上下延設部７ｂが、前後延設部７ａの前部に連設されると共に把持領域７ｂ１とされた上部を備えている。このため、上下延設部７ｂの上部にも把持領域７ｂ１が設けられるため、利用者は、前後延設部７ａの前部と上下延設部７ｂの上部のうち把持しやすい方を把持することで、安心して肘掛７に対して体重を預けることができる。このため、手指や下肢の筋力が低下している利用者がより安心して利用することが可能となる。
【００５５】
また、本実施形態の椅子１においては、前後延設部７ａと上下延設部７ｂとが連続的に接続されている。このため、利用者が前後延設部７ａと上下延設部７ｂとの接続箇所を把持した場合であっても、安心して肘掛７に対して体重を預けることができる。
【００５６】
また、本実施形態の椅子１においては、閉塞部８の背凭れ４側の面が背凭れ４に沿った形状となっていることから、閉塞部８と背凭れ４との位置合わせが容易となり、閉塞部８の背凭れ４に対する位置を安定させることが可能となる。
【００５７】
（第２実施形態）
次に、本発明の第２実施形態について説明する。なお、本実施形態の説明において、上記第１実施形態と同様の部分については、その説明を省略あるいは簡略化する。
【００５８】
図６は、本第２実施形態に係る椅子１Ａの側面図である。また、図７は、本第２実施形態に係る椅子１Ａの一部を分解した斜視図である。また、図８は、本第２実施形態に係る椅子１Ａの側断面図である。これらの図に示すように、本実施形態の椅子１Ａは、座３及び背凭れ４の左右方向の幅が短い１人掛けの椅子であり、上記第１実施形態の背側閉塞部取付駒５、座側閉塞部取付駒６及び閉塞部８を備えておらず、換わりに側部パネル４０を備えている。
【００５９】
側部パネル４０は、椅子１Ａの左右方向の両側に対して設けられており、ドッコ式金具４１によって背フレーム４ａに対して取り付けられると共に、ボルト５０によって座フレーム３ａ及び背フレーム４ａに固定されている。この側部パネル４０は、上記第１実施形態の閉塞部８として機能する閉塞領域４２を含んでいる。この閉塞領域４２は、前側上部が下方に向けて大きく窪んだ形状とされており、把持領域７ａ１及び把持領域７ｂ１を避け、肘掛７の閉塞部固定領域７ａ２及び閉塞部固定領域７ｂ２に接続されている。そして、閉塞領域４２は、側方視において、肘掛７の把持領域７ａ１及び把持領域７ｂ１を避けて肘掛７と座３との間を閉塞するように設けられている。
【００６０】
このような１人掛けの本実施形態の椅子１Ａにおいても、把持領域７ａ１及び把持領域７ｂ１を避けて座３と肘掛７との間の空間を閉塞する閉塞領域４２を有していることから、荷物等が自らの着座スペースから落下等することを抑止すると共に肘掛７に対して安心して体重を預けることが可能となる。
【００６１】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００６２】
例えば、上記実施形態においては、肘掛７が閉塞部８に固定されることにより支持された構成について説明した。しかしながら、本発明はこれに限定されるものではなく、肘掛７が脚部２、座フレーム３ａあるいは背フレーム４ａに固定されることで支持される構成を採用することも可能である。
【００６３】
また、上記実施形態においては、肘掛７において把持領域７ａ１の指腹当接面２１及び把持領域７ｂ１の指腹当接面２１が平面である構成について説明した。しかしながら、本発明はこれに限定されるものではなく、図９及び図１０に示すように、指腹当接面２１が内側に向けて凹む湾曲面からなる構成を採用することも可能である。このような場合には、利用者の指と指腹当接面２１との接触面積を広げることが可能となる。
【００６４】
また、上記実施形態においては、前後延設部７ａと上下延設部７ｂとの交差角度が鋭角である構成について説明した。しかしながら、本発明はこれに限定されるものではなく、上記交差角度が直角あるいは鈍角であっても良い。
【００６５】
また、上記実施形態においては、例えば把持領域７ａ１が肘掛７の前部の領域に形成された構成についた。しかしながら、本発明はこれに限定されるものではなく、把持領域の形成領域は任意に変更可能であり、例えば、前後延設部７ａや上下延設部７ｂの延設方向の中央領域に把持領域を設けても良い。
【符号の説明】
【００６６】
１……椅子、１Ａ……椅子、７……肘掛、７ａ……前後延設部、７ａ１……把持領域、７ａ２……閉塞部固定領域、７ｂ……上下延設部、７ｂ１……把持領域、７ｂ２……閉塞部固定領域、８……閉塞部、３０……開口部、４０……側部パネル、４２……閉塞領域（閉塞部）
【図１】
0006414961.tif 000002
【図２】
0006414961.tif 000003
【図３】
0006414961.tif 000004
【図４】
0006414961.tif 000005
【図５】
0006414961.tif 000006
【図６】
0006414961.tif 000007
【図７】
0006414961.tif 000008
【図８】
0006414961.tif 000009
【図９】
0006414961.tif 000010
【図１０】
0006414961.tif 000011